(57)【要約】【課題】チェーンＣのリンク数を直読する。【解決手段】コンベックスルールのテープ１２に対し、チェーンＣのリンク数を示す目盛ｎＬ（ｎ＝１、２…）を表示し、板ばね材の係合部材２０を先端の基準目盛０Ｌに対応させて付設する。  係合部材２０をチェーンＣの一端のローラＣ4 に係合させ、チェーンＣに沿ってテープ１２を伸長させると、終端に対応する目盛ｎＬを読み取ることによりチェーンＣのリンク数を直読することができる。【選択図】図１
0003101875.tif 000002
【実用新案登録請求の範囲】
【請求項１】
鋼製のテープをケース内に引出し可能に収納してなり、前記テープには、チェーンのリンク数を示す目盛を表示するとともに、チェーンのローラに係合する板ばね材の係合部材を先端の基準目盛に対応させて付設することを特徴とするローラチェーン用の巻尺。
【請求項２】
前記係合部材は、チェーンのローラを弾発的に挟み込むことを特徴とする請求項１記載のローラチェーン用の巻尺。
【請求項３】
前記係合部材は、チェーンの相隣るローラ間に弾発的に差し込むことを特徴とする請求項１記載のローラチェーン用の巻尺。
【請求項４】
前記係合部材は、チェーンのローラの片側に押当て可能であることを特徴とする請求項１記載のローラチェーン用の巻尺。
【請求項５】
前記係合部材は、チェーンのローラの片側に掛止め可能であることを特徴とする請求項１記載のローラチェーン用の巻尺。
【請求項６】
前記係合部材は、チェーンのローラの片側に押当て可能、掛止め可能に切換可能であることを特徴とする請求項１記載のローラチェーン用の巻尺。
【考案の詳細な説明】
【技術分野】
【０００１】
この考案は、ローラチェーンのリンク数を直読することができるローラチェーン用の巻尺に関する。
【背景技術】
【０００２】
ローラチェーンは、連結ピンを介して多数のリンクユニットを屈曲自在に連結し、各連結ピンにローラを装着して構成されている。そこで、ローラチェーンの全長は、ローラ付きの連結ピンのピッチを基準にして、リンク数で表わすことができる。ただし、連結ピンのピッチは、チェーンの番手により正確に規定されている。
【０００３】
一方、ローラチェーンを製作し、出荷する際には、所定数のリンク数が連結されていることを確認する必要があるが、その手法は、ローラチェーンの全長をコンベックスルールなどによって計測し、全長とピッチとからリンク数を算出するのが普通である。
【考案の開示】
【考案が解決しようとする課題】
【０００４】
かかる従来技術によるときは、計算によってリンク数を算出しなければならないから、煩雑であり、計算ミスを生じるおそれがあるなどの問題があった。
【０００５】
そこで、この考案の目的は、かかる従来技術の問題に鑑み、コンベックスルールの目盛をリンク数とし、テープの先端に係合部材を付設することによって、ローラチェーンのリンク数を直読することができるローラチェーン用の巻尺を提供することにある。
【課題を解決するための手段】
【０００６】
かかる目的を達成するためのこの考案の構成は、鋼製のテープをケース内に引出し可能に収納してなり、テープには、チェーンのリンク数を示す目盛を表示するとともに、チェーンのローラに係合する板ばね材の係合部材を先端の基準目盛に対応させて付設することをその要旨とする。
【０００７】
なお、係合部材は、チェーンのローラを弾発的に挟み込むことができ、チェーンの相隣るローラ間に弾発的に差し込むことができる。
【０００８】
また、係合部材は、チェーンのローラの片側に押当て可能としてもよく、チェーンのローラの片側に掛止め可能としてもよく、さらに、チェーンのローラの片側に押当て可能、掛止め可能に切換可能としてもよい。
【考案の効果】
【０００９】
かかる考案の構成によるときは、鋼製のテープには、リンク数を示す目盛が表示されているから、テープの先端の係合部材をチェーンの一端のローラに係合させ、チェーンに沿ってテープを伸長させてテープ上の目盛を読み取ることによって、チェーンのリンク数を直読することができる。なお、テープ上のリンク数の目盛は、チェーンのピッチを基準にして表示するものとし、テープ上には、対応するチェーンの番手を併せて明示しておくものとする。
【００１０】
係合部材は、チェーンのローラを弾発的に挟み込むことにより、またはチェーンのローラ間に弾発的に差し込むことにより、計測中にローラから不容易に外れてしまうおそれがない。また、係合部材は、テープを介してチェーンを引き伸ばす方向に力を加えることにより、チェーンの弛みや曲りを防ぎ、計測作業を一層容易にすることができる。
【００１１】
係合部材は、ローラの片側に押当て可能とすることにより、テープを介してチェーンを引き伸ばす方向に力を加えることができ、ローラの片側に掛止め可能とすることにより、ローラに対して容易に係合させることができる。
【００１２】
係合部材は、チェーンのローラの片側に押当て可能、掛止め可能に切換可能とすることにより、必要に応じて、ローラに対する係合の形態を二様に切り換えて計測することができる。
【考案を実施するための最良の形態】
【００１３】
以下、図面を以って考案の実施の形態を説明する。
【００１４】
ローラチェーン用の巻尺は、ケース１１に鋼製のテープ１２を引出し可能に巻き取って収納するコンベックスルール１０において、テープ１２の先端に係合部材２０を付設してなる（図１）。
【００１５】
テープ１２の表面側には、計測するチェーンＣのリンク数を示す目盛ｎＬ（ｎ＝１、２…）が表示されている。なお、テープ１２は、浅い樋状の断面に形成されており、ケース１１から引き出しても、容易に折れ曲がらずに直線状を保つことができる。
【００１６】
チェーンＣは、連結ピンＣ1 、Ｃ1 …を介し、多数のリンクプレートＣ2 、Ｃ2 …を屈曲自在に連結してローラチェーンとして構成されている。なお、各連結ピンＣ1 には、ブッシュＣ3 を介してローラＣ4 が回転自在に装着されている。
【００１７】
係合部材２０は、テープ１２上の基準目盛０Ｌに対応するようにして、リベット１３を介してテープ１２の裏面側に突設されている（図１、図２）。ただし、図２（Ａ）は、図１の要部側面拡大図であり、図２（Ｂ）は、同図（Ａ）のＸ−Ｘ線矢視相当断面図である。
【００１８】
係合部材２０は、板ばね材を屈曲させて形成されている。係合部材２０は、リベット１３を介してテープ１２の裏面側に固定するベース部２１の両端に対し、相対向する前後の係合爪２２、２２を突設して形成されている。係合爪２２、２２の中間部は、それぞれローラＣ4 の外径に適合するように外側に湾曲し、係合爪２２、２２の先端部は、互いに背向するように短く外側に湾曲して開いている。また、係合部材２０は、係合爪２２、２２がテープ１２の長手方向に位置するように固定されている。
【００１９】
係合部材２０は、係合爪２２、２２を介してチェーンＣの一端のローラＣ4 を弾発的に挟み込むことにより（図２（Ａ））、テープ１２をチェーンＣに連結することができる。そこで、そのままテープ１２をチェーンＣに沿って伸長させ、チェーンＣの終端に対応する目盛ｎＬを読み取れば、チェーンＣのリンク数ｎを直読することができる。なお、このときのチェーンＣは、たとえば連結ピンＣ1 、Ｃ1 …、ローラＣ4 、Ｃ4 …を水平にして机上などに直線状に伸ばし、テープ１２を介してチェーンＣを引き伸ばす方向に軽く力を加え（図１の矢印方向）、チェーンＣの曲りなどを防ぐことが好ましい。ただし、テープ１２上の目盛ｎＬは、チェーンＣのピッチｐを基準にして表示されているものとする（図３）。なお、図３において、テープ１２上には、適合するチェーンＣの番手を示すたとえば「Ｎｏ．８０」の文字が先端近くに表示されており、通常のmm単位の寸法目盛が併せて表示されている。
【他の実施の形態】
【００２０】
係合部材２０は、テープ１２の左右の一方に突設するようにして、テープ１２の裏面側に付設することができる（図４）。ただし、図４（Ｂ）は、同図（Ａ）のＹ−Ｙ線矢視相当拡大断面図である。
【００２１】
テープ１２の裏面側には、リベット１３を介してＬ字状の補助ブラケット１４が固定され、係合部材２０は、補助ブラケット１４に対し、別のリベット１５を介して固定されている。チェーンＣの連結ピンＣ1 、Ｃ1 …、ローラＣ4 、Ｃ4 …を机上などに垂直に立てて使用することができる。
【００２２】
また、テープ１２には、図１、図４の係合部材２０、２０の双方を付設してもよい（図５）。ただし、図５（Ｂ）は、同図（Ａ）のＺ−Ｚ線矢視相当拡大断面図である。
【００２３】
なお、図４の係合部材２０は、補助ブラケット１４に図示しないヒンジを組み込むことにより、図５の係合部材２０、２０の各位置に切換可能とすることができる。
【００２４】
係合部材２０は、係合爪２２、２２を介し、チェーンＣの相隣るローラＣ4 、Ｃ4 間に弾発的に差し込むように形成してもよい（図６）。ただし、図６（Ｂ）は、同図（Ａ）の拡大側面図である。
【００２５】
テープ１２には、係合部材２０の係合爪２２、２２をチェーンＣの先端のローラＣ4 、Ｃ4 間に差し込むとき、最先端のローラＣ4 に対応するようにして基準目盛０Ｌが表示されている。また、係合部材２０は、テープ１２の長手方向に並ぶ一対のリベット１３、１３を介してテープ１２の裏面側に固定されている。
【００２６】
図１の係合部材２０は、一方の係合爪２２だけに形成してもよい（図７）。ただし、テープ１２の基部側の係合爪２２（同図（Ａ））は、チェーンＣのローラＣ4 の片側に押当て可能であり（図８の実線相当）、テープ１２の先端側の係合爪２２（図７（Ｂ））は、チェーンＣのローラＣ4 の片側に掛止め可能である（図８の二点鎖線相当）。
【００２７】
なお、図７（Ａ）、（Ｂ）の各係合部材２０は、リベット１３を介してテープ１２に固定するに代えて、リベット１３を介して回転可能としてもよい（図８）。１個の係合部材２０をチェーンＣのローラＣ4 の片側に対し、押当て可能、掛止め可能に切換可能とし（同図の実線、二点鎖線）、一層便利に使用することができる。
【００２８】
以上の説明において、テープ１２上の目盛ｎＬは、チェーンＣの番手が異なる複数目盛としてもよく（図９（Ａ））、さらに、寸法目盛を併せて表示してもよい（同図（Ｂ））。
【図面の簡単な説明】
【００２９】
【図１】全体構成斜視説明図
【図２】図１の要部拡大説明図
【図３】要部詳細説明図
【図４】他の実施の形態を示す要部構成説明図（１）
【図５】他の実施の形態を示す要部構成説明図（２）
【図６】他の実施の形態を示す要部構成説明図（３）
【図７】他の実施の形態を示す要部構成説明図（４）
【図８】他の実施の形態を示す要部構成説明図（５）
【図９】他の実施の形態を示す要部構成説明図（６）
【符号の説明】
【００３０】
Ｃ…チェーン
Ｃ4 …ローラ
０Ｌ…基準目盛
ｎＬ（ｎ＝１、２…）…目盛
１１…ケース
１２…テープ
２０…係合部材
実用新案登録出願人      株式会社  江沼チヱン製作所
代理人  弁理士                      松  田  忠  秋
【図１】
0003101875.tif 000003
【図２】
0003101875.tif 000004
【図３】
0003101875.tif 000005
【図４】
0003101875.tif 000006
【図５】
0003101875.tif 000007
【図６】
0003101875.tif 000008
【図７】
0003101875.tif 000009
【図８】
0003101875.tif 000010
【図９】
0003101875.tif 000011